(57)【要約】【課題】無線通信システムにおけるＤＲＸ周期の変更を考慮するＤＲＸ制御方法及び装置を提供することを目的とする。【解決手段】本発明は、無線通信システムにおける端末(ＵＥ)によって不連続受信(ＤＲＸ）を制御する方法及び装置を提供する。ＵＥは、進化した基地局(ｅＮＢ)からＤＲＸ構成パラメータを受信し、ＤＲＸ周期の変更がサブフレームで完了した後、ＤＲＸ構成パラメータに基づいてオン区間タイマを開始するか否かを判定する。それによって、ＵＥとｅＮＢとの間の伝送不一致によるシステム性能の低下を防止することができる。【選択図】図１
2015111958.tif 000002
【特許請求の範囲】
【請求項１】
無線通信システムにおける端末（ＵＥ）が不連続受信（ＤＲＸ）を制御する方法であって、
基地局からＤＲＸ構成情報を受信するステップと、
サブフレームでＤＲＸ周期が短ＤＲＸ周期であるか長ＤＲＸ周期であるかを判定するステップと、
前記ＤＲＸ周期を判定した後、前記判定されたＤＲＸ周期に基づいて前記サブフレームでオン区間タイマを開始するか否かを判定するステップと、を有する
ことを特徴とする方法。
【請求項２】
前記オン区間タイマは、各ＤＲＸ周期で前記ＵＥが制御チャンネルをモニタリングする時間を指示する
ことを特徴とする請求項１に記載の方法。
【請求項３】
前記ＤＲＸ構成情報は、前記オン区間タイマ‘ｏｎＤｕｒａｔｉｏｎＴｉｍｅｒ’の満了時間、ＤＲＸ非活性タイマ‘ｄｒｘ-ＩｎａｃｔｉｖｉｔｙＴｉｍｅｒ’の満了時間、前記長ＤＲＸ周期‘ｌｏｎｇＤＲＸ-Ｃｙｃｌｅ’、ＤＲＸ開始オフセット‘ｄｒｘＳｔａｒｔＯｆｆｓｅｔ’、短ＤＲＸ周期タイマ‘ｄｒｘＳｈｏｒｔＣｙｃｌｅＴｉｍｅｒ’の満了時間、前記短ＤＲＸ周期‘ｓｈｏｒｔＤＲＸ-Ｃｙｃｌｅ’のうち少なくとも一つの情報を含む
ことを特徴とする請求項１に記載の方法。
【請求項４】
前記オン区間タイマを開始するか否かを判定するステップは、
前記短ＤＲＸ周期‘ｓｈｏｒｔＤＲＸ-Ｃｙｃｌｅ’が使用され、［（システムフレーム番号（ＳＦＮ）＊１０）＋サブフレーム番号］を前記短ＤＲＸ周期‘ｓｈｏｒｔＤＲＸ-Ｃｙｃｌｅ’で割って獲得した余りが、ＤＲＸ開始オフセット‘ｄｒｘＳｔａｒｔＯｆｆｓｅｔ’を前記短ＤＲＸ周期‘ｓｈｏｒｔＤＲＸ-Ｃｙｃｌｅ’で割って獲得した余りと同一である場合、前記オン区間タイマ‘ｏｎＤｕｒａｔｉｏｎＴｉｍｅｒ’を開始するステップをさらに有する
ことを特徴とする請求項１に記載の方法。
【請求項５】
前記オン区間タイマを開始するか否かを判定するステップは、
前記長ＤＲＸ周期‘ｌｏｎｇＤＲＸ-Ｃｙｃｌｅ’が使用され、［（ＳＦＮ＊１０）＋サブフレーム番号］を前記長ＤＲＸ周期‘ｌｏｎｇＤＲＸ-Ｃｙｃｌｅ’で割って獲得した余りが、ＤＲＸ開始オフセット‘ｄｒｘＳｔａｒｔＯｆｆｓｅｔ’と同一である場合、前記オン区間タイマ‘ｏｎＤｕｒａｔｉｏｎＴｉｍｅｒ’を開始するステップをさらに有する
ことを特徴とする請求項１に記載の方法。
【請求項６】
無線通信システムにおける不連続受信（ＤＲＸ）を制御する端末（ＵＥ）であって、
基地局からＤＲＸ構成情報を受信する受信器と、
サブフレームでＤＲＸ周期が短ＤＲＸ周期であるか長ＤＲＸ周期であるかを判定し、前記ＤＲＸ周期を判定した後、前記判定されたＤＲＸ周期に基づいて前記サブフレームでオン区間タイマを開始するか否かを判定する制御器と、を含む
ことを特徴とする端末。
【請求項７】
前記オン区間タイマは、各ＤＲＸ周期で前記ＵＥが制御チャンネルをモニタリングする時間を指示する
ことを特徴とする請求項６に記載の端末。
【請求項８】
前記ＤＲＸ構成情報は、前記オン区間タイマ‘ｏｎＤｕｒａｔｉｏｎＴｉｍｅｒ’の満了時間、ＤＲＸ非活性タイマ‘ｄｒｘ-ＩｎａｃｔｉｖｉｔｙＴｉｍｅｒ’の満了時間、前記長ＤＲＸ周期‘ｌｏｎｇＤＲＸ-Ｃｙｃｌｅ’、ＤＲＸ開始オフセット‘ｄｒｘＳｔａｒｔＯｆｆｓｅｔ’、短ＤＲＸ周期タイマ‘ｄｒｘＳｈｏｒｔＣｙｃｌｅＴｉｍｅｒ’の満了時間、前記短ＤＲＸ周期‘ｓｈｏｒｔＤＲＸ-Ｃｙｃｌｅ’のうち少なくとも一つの情報を含む
ことを特徴とする請求項６に記載の端末。
【請求項９】
前記制御器は、前記短ＤＲＸ周期‘ｓｈｏｒｔＤＲＸ-Ｃｙｃｌｅ’が使用され、［（システムフレーム番号（ＳＦＮ）＊１０）＋サブフレーム番号］を前記短ＤＲＸ周期‘ｓｈｏｒｔＤＲＸ-Ｃｙｃｌｅ’で割って獲得した余りが、ＤＲＸ開始オフセット‘ｄｒｘＳｔａｒｔＯｆｆｓｅｔ’を前記短ＤＲＸ周期‘ｓｈｏｒｔＤＲＸ-Ｃｙｃｌｅ’で割って獲得した余りと同一である場合、前記オン区間タイマ‘ｏｎＤｕｒａｔｉｏｎＴｉｍｅｒ’を開始することに決定する
ことを特徴とする請求項６に記載の端末。
【請求項１０】
前記制御器は、前記長ＤＲＸ周期‘ｌｏｎｇＤＲＸ-Ｃｙｃｌｅ’が使用され、［（ＳＦＮ＊１０）＋サブフレーム番号］を前記長ＤＲＸ周期‘ｌｏｎｇＤＲＸ-Ｃｙｃｌｅ’で割って獲得した余りが、ＤＲＸ開始オフセット‘ｄｒｘＳｔａｒｔＯｆｆｓｅｔ’と同一である場合、前記オン区間タイマ‘ｏｎＤｕｒａｔｉｏｎＴｉｍｅｒ’を開始することに決定する
ことを特徴とする請求項６に記載の端末。
【発明の詳細な説明】
【技術分野】
【０００１】
本発明は無線通信システムにおける不連続受信(Discontinuous  Reception：ＤＲＸ)制御方法及び装置に関するもので、特に基地局(ＢＳ)として知られているｅＮＢ(evolved  Node B)と移動局(ＭＳ)として知られている端末(ＵＥ)間の伝送不一致(mismatch)によるシステム性能低下を防止できるＤＲＸ制御方法及び装置に関する。
【背景技術】
【０００２】
無線通信システムは、ユーザーの移動性を確保しつつ通信サービスを提供するために開発された。通信技術の急速な発展によって、無線通信システムは、音声通信だけでなく、高速のデータ通信サービスを提供することができる。最近、次世代無線通信システムの一つであるＬＴＥ(Long Term Evolution)システムに対する標準化が３ＧＰＰ(3rd  Generation Partnership Project)で進行中である。ＬＴＥシステムは、２０１０年に商用化を目標とし、最大３００Ｍｂｐｓの伝送速度を有する高速パケットベースの通信を実現する。
【０００３】
３ＧＰＰ  ＬＴＥシステムでは、ＵＥの消費電力減少のためにサポートする技術の一つとしてＤＲＸ動作を利用する。ＬＴＥシステムにおいて、ＤＲＸ動作は、ＵＥの電力消耗を低減するために、端末が所定周期でウェイクアップ(wake  up)して基地局から伝送されるシステム情報又はページングメッセージを受信し、残りの時間には受信動作を中止する動作を意味する。ＤＲＸ動作は、３ＧＰＰ  ＲＡＮ２(Radio  Access  Network  2)規格のＴＳ３６．３２１に記述されており、特定タイマが満了すると、ＤＲＸ周期は変更されることになっている。
【０００４】
３ＧＰＰ  ＬＴＥシステムにおけるＤＲＸ動作は、ＴＳ３６．３２１のセクション５．７に具体的に記述されている。３ＧＰＰにおいて、ＵＥの状態は、ＵＥとｅＮＢとの間の接続に従ってアイドル状態(idle  state)と接続状態に区別される。アイドル状態は接続が解除された状態であり、接続状態は接続が確立された状態である。ＤＲＸ動作がＲＲＣ(Radio  Resource  Control)接続(ＲＲＣ_ＣＯＮＮＥＣＴＥＤ)状態で設定される場合、ＵＥは、伝送電力を減少するために、ｅＮＢから伝送される制御チャンネルであるＰＤＣＣＨ(Physical  Downlink  Control  Channel)を不連続的にモニタリングする。制御チャンネルの不連続的モニターは、所定の周期に基づいて実行される。この周期は、ＤＲＸ周期と呼ばれる。ＤＲＸ周期は、ＤＲＸ動作に従って変更され得る。
【０００５】
図１は、従来技術よるＬＴＥシスムにおけるＤＲＸ動作を示す。
【０００６】
図１を参照すると、ＤＲＸ周期１０１は、ＵＥがウェイクアップして制御チャンネル又はＰＤＣＣＨをモニタリングするオン区間(on-duration)１０３と、ＵＥがモニタリング動作を中止できるＤＲＸ機会区間１０５を含む。ＵＥは、ＤＲＸ周期１０１によってモニタリング動作の遂行/中止を周期的に反復する。ＤＲＸ周期１０１は、ＵＥがウェイクアップして、例えば制御チャンネルであるＰＤＣＣＨをモニタリングするオン区間１０３が反復される周期を意味する。ＬＴＥシステムにおいて、ＵＥは、オン区間１０３でｅＮＢにより伝送される制御チャンネル又はＰＤＣＣＨを受信することができ、ＤＲＸ機会区間１０５でＰＤＣＣＨをモニタリングしないスリープ(sleep)状態で動作できる。
【０００７】
しかしながら、現在３ＧＰＰ標準に記述されているＤＲＸ動作について、特定方法は、ＤＲＸ周期が変更されるサブフレームで具体的にＵＥが動作すべきである方法を規定していない。ＬＴＥシステムで定義された方法がないため、適用されるＤＲＸ周期は、オン区間１０３の時間を計数するオン区間タイマ‘ｏｎＤｕｒａｔｉｏｎＴｉｍｅｒ’を開始するか否かの判定時点に従って変わることができる。
【０００８】
また、現在３ＧＰＰ  ＴＳ３６．３２１規格に記述されるＤＲＸ動作は、ＤＲＸ周期が一回以上変更される可能性を考慮せずに、オン区間タイマ‘ｏｎＤｕｒａｔｉｏｎＴｉｍｅｒ’を開始するか否かを判定するように定義している。これは、ｅＮＢとＵＥとの間のＤＲＸ動作に不一致はもちろん、ＤＲＸ周期の変更によるオン区間タイマ‘ｏｎＤｕｒａｔｉｏｎＴｉｍｅｒ’の誤動作をもたらし、それによってｅＮＢとＵＥとの間の伝送不一致によるシステム性能を低下させるという問題点があった。
【先行技術文献】
【特許文献】
【０００９】
【特許文献１】国際公開第２００９／１５４４１４号
【発明の概要】
【発明が解決しようとする課題】
【００１０】
したがって、本発明は、上記した従来技術の問題点に鑑みてなされたものであって、その目的は、無線通信システムにおけるＤＲＸ周期の変更を考慮するＤＲＸ制御方法及び装置を提供することにある。
【００１１】
また、本発明の他の目的は、無線通信システムにおけるＤＲＸ周期の変更を考慮してＤＲＸ動作関連タイマを制御する方法及び装置を提供することにある。
【課題を解決するための手段】
【００１２】
上記のような目的を達成するために、本発明の一態様によれば、無線通信システムにおける端末(ＵＥ)によって不連続受信(ＤＲＸ）を制御する方法が提供される。その方法は、進化した基地局(ｅＮＢ)からＤＲＸ構成パラメータを受信するステップと、ＤＲＸ周期の変更がサブフレームで完了した後、ＤＲＸ構成パラメータに基づいてオン区間タイマを開始するか否かを判定するステップとを有する。
【００１３】
本発明の他の態様によれば、無線通信システムにおけるＤＲＸを制御するＵＥが提供される。ＵＥは、ｅＮＢからＤＲＸ構成パラメータを受信する受信器と、ＤＲＸ周期の変更がサブフレームで完了した後、ＤＲＸ構成パラメータに基づいてオン区間タイマを開始するか否かを判定する制御器とを含む。
【００１４】
本発明の他の様態によれば、無線通信システムにおけるＤＲＸを制御する方法が提供される。この方法は、ＤＲＸ構成パラメータを獲得するステップと、ＤＲＸ構成パラメータに基づいてオン区間タイマを開始するか否かを判定するステップとを有する。
【００１５】
本発明の他の様態、長所、及び顕著な特徴は、添付された図面との結合を考慮すれば、後述する詳細な説明を参照してより容易に理解できることは、当該技術分野における通常の知識を持つ者には明らかである。
【図面の簡単な説明】
【００１６】
【図１】関連した技術によるＬＴＥシステムにおけるＤＲＸ動作を示す図である。
【図２】本発明の一実施形態によるＤＲＸ動作を遂行するＵＥとｅＮＢのＣ−Ｐｌａｎｅプロトコルスタックを示す図である。
【図３】本発明の例示的実施形態によるＤＲＸ動作の制御方法を示す図である。
【図４】本発明の例示的実施形態によるＤＲＸ動作の制御方法を示す図である。
【図５】本発明の例示的実施形態によるＤＲＸ動作の制御方法を示す図である。
【図６】本発明の例示的実施形態によるＤＲＸ動作の制御方法を示す図である。
【図７】本発明の例示的実施形態によるＤＲＸ動作の制御方法を示す図である。
【図８】本発明の例示的実施形態によるＤＲＸ動作の制御方法を示す図である。
【図９】本発明の例示的実施形態によるＤＲＸ動作を制御する装置を示すブロック構成図である。
【発明を実施するための形態】
【００１７】
以下、本発明の望ましい実施形態を添付の図面を参照して詳細に説明する。
【００１８】
添付の図面を参照した下記の説明は、特許請求の範囲の記載及びこれと均等なものの範囲内で定められるような本発明の実施形態の包括的な理解を助けるために提供するものであり、この理解を助けるための様々な特定の詳細を含むが、単なる一つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１９】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００２０】
英文明細書に記載の“ａ”、“ａｎ”、及び“ｔｈｅ”、すなわち単数形は、コンテキスト中に特記で明示されない限り、複数形を含むことは、当業者にはわかることである。したがって、例えば、“コンポーネント表面(a  component  surface)”との記載は一つ又は複数の表面を含む。
【００２１】
以下に説明される本発明の例示的実施形態では、不連続受信(ＤＲＸ)周期の変化を考慮してＤＲＸ動作関連タイマの動作を制御する多様な方案を提案する。本発明の実施形態は、一例としてＬＴＥ(Long Term Evolution)システムに関して説明されるが、本発明の例示的実施形態は、ＤＲＸ動作をサポートする各種無線通信システムに適用され得る。また、本発明の例示的実施形態は、例えばＵＥの動作について説明されるが、本発明は、ｅＮＢ動作に適用することができる。
【００２２】
図２は、本発明の一実施形態によるＤＲＸ動作を遂行するＵＥとｅＮＢのＣ−Ｐｌａｎｅ（Control Plane）プロトコルスタックを示す。
【００２３】
図２を参照すると、ＵＥ２００とｅＮＢ３００で、各々ＲＲＣ階層２１０，３１０、ＭＡＣ階層２３０，３３０、及び物理(ＰＨＹ)階層２５０，３５０は、本発明のＤＲＸ動作に関与する。ＤＲＸ動作は、ｅＮＢ３００からＵＥ２００へのダウンリンク(ＤＬ)伝送で遂行され、後述されるＤＬ伝送におけるＤＲＸ動作は、アップリンク(ＵＬ)伝送にも適用することができる。
【００２４】
ｅＮＢ３００のＲＲＣ階層３１０は、ＵＥ２００に伝送されるＤＲＸ構成パラメータの値を決定し、決定されたパラメータ値をＭＡＣ階層３３０に伝送する。ＤＲＸ構成パラメータは、オン区間タイマ‘ｏｎＤｕｒａｔｉｏｎＴｉｍｅｒ’とＤＲＸ非活性タイマ‘ｄｒｘ-ＩｎａｃｔｉｖｉｔｙＴｉｍｅｒ’の満了時間(expire  time）を含むことができる。このオン区間タイマ‘ｏｎＤｕｒａｔｉｏｎＴｉｍｅｒ’とＤＲＸ非活性タイマ‘ｄｒｘ-ＩｎａｃｔｉｖｉｔｙＴｉｍｅｒ’は、ＵＥ２００が制御チャンネルのモニタリングを終了してスリープ状態に入ることができる場合に上記時間を計数する。オン区間タイマ‘ｏｎＤｕｒａｔｉｏｎＴｉｍｅｒ’は、ＵＥ２００がＤＲＸ周期ごとに連続して制御チャンネルをモニタリングする時間を示すタイマである。ＤＲＸ非活性タイマ‘ｄｒｘ-ＩｎａｃｔｉｖｉｔｙＴｉｍｅｒ’は、ｅＮＢ３００で新たなパケットの送信又は受信がある場合、この送信又は受信以後にＵＥ２００が連続してウェイクアップされている所定時間を示すタイマである。
【００２５】
また、ＤＲＸ構成パラメータは、長ＤＲＸ周期‘ｌｏｎｇＤＲＸ-Ｃｙｃｌｅ’、ＤＲＸ開始オフセット‘ｄｒｘＳｔａｒｔＯｆｆｓｅｔ’、短ＤＲＸ周期タイマ‘ｄｒｘＳｈｏｒｔＣｙｃｌｅＴｉｍｅｒ’の満了時間、及び短ＤＲＸ周期‘ｓｈｏｒｔＤＲＸ-Ｃｙｃｌｅ’を示すパラメータのうち少なくとも一つを含むことができる。ＵＥ２００は、ｅＮＢ３００から受信した長ＤＲＸ周期‘ｌｏｎｇＤＲＸ-Ｃｙｃｌｅ’を基本ＤＲＸ周期として決定し、オン区間タイマ‘ｏｎＤｕｒａｔｉｏｎＴｉｍｅｒ’の適用時点を判断する。しかしながら、短ＤＲＸ周期‘ｓｈｏｒｔＤＲＸ-Ｃｙｃｌｅ’を使用可能として設定される場合、ＵＥ２００は、ＤＲＸ非活性タイマ’ｄｒｘ-ＩｎａｃｔｉｖｉｔｙＴｉｍｅｒ’が満了する時点から短ＤＲＸ周期‘ｓｈｏｒｔＤＲＸ-Ｃｙｃｌｅ’を適用してオン区間タイマ‘ｏｎＤｕｒａｔｉｏｎＴｉｍｅｒ’の適用時点を判断できる。この短ＤＲＸ周期‘ｓｈｏｒｔＤＲＸ-Ｃｙｃｌｅ’は、短ＤＲＸ周期タイマ‘ｄｒｘＳｈｏｒｔＣｙｃｌｅＴｉｍｅｒ’が満了するまで適用される。ＤＲＸ開始オフセット‘ｄｒｘＳｔａｒｔＯｆｆｓｅｔ’は、オン区間タイマ’ｏｎＤｕｒａｔｉｏｎＴｉｍｅｒ’の開始時間のオフセットを意味する。
【００２６】
ＤＲＸ周期は、データ送受信の頻度に従って異なるように設定できる。例えば、ＵＥ２００がウェブブラウジング時にウェブページをダウンロードする場合、ＵＥ２００は、頻繁なデータ送受信のため短ＤＲＸ周期を使用してよく、特定規則に従って短ＤＲＸ周期‘ｓｈｏｒｔＤＲＸ-Ｃｙｃｌｅ’を使用できる。一方、ユーザーがウェブページを読み取る場合、ＵＥ２００は、まれなデータ送受信のため長ＤＲＸ周期を使用してよく、特定規則に従って長ＤＲＸ周期‘ｌｏｎｇＤＲＸ-Ｃｙｃｌｅ’を使用できる。
【００２７】
ｅＮＢ３００のＭＡＣ階層３３０は、伝送チャンネルを用いてＤＲＸ構成パラメータをＰＨＹ階層３５０に送信する。物理階層３５０は、物理チャンネル２０１を介してＤＲＸ構成パラメータをＵＥ２００のＰＨＹ階層２５０に伝送する。ＵＥ２００のＲＲＣ階層２１０は、ＰＨＹ階層２５０から受信したＤＲＸ構成パラメータを分析してＭＡＣ階層２３０に伝送し、それによってＤＲＸ周期の変更を考慮した本発明の実施形態によるＤＲＸ動作がＵＥ２００とｅＮＢ３００で各々遂行される。ＤＲＸ関連パラメータの設定は、ＵＥ２００とｅＮＢ３００のＲＲＣ階層２１０，３１０で遂行される。設定されたＤＲＸ関連パラメータを用いるＤＲＸ動作全体の制御は、ＵＥ２００とｅＮＢ３００のＭＡＣ階層２３０，３３０で遂行される。以下、本発明の実施形態によるＤＲＸ動作制御方法について具体的に説明する。
【００２８】
ＭＡＣ階層２３０は、ｅＮＢ３００から受信したＤＲＸ構成パラメータを用いてＤＲＸ動作を制御する。これらパラメータは、オン区間タイマ’ｏｎＤｕｒａｔｉｏｎＴｉｍｅｒ’とＤＲＸ非活性タイマ‘ｄｒｘ-ＩｎａｃｔｉｖｉｔｙＴｉｍｅｒ’の満了時間、長ＤＲＸ周期‘ｌｏｎｇＤＲＸ-Ｃｙｃｌｅ’、ＤＲＸ開始オフセット‘ｄｒｘＳｔａｒｔＯｆｆｓｅｔ’、短ＤＲＸ周期タイマ‘ｄｒｘＳｈｏｒｔＣｙｃｌｅＴｉｍｅｒ’の満了時間、及び短ＤＲＸ周期‘ｓｈｏｒｔＤＲＸ-Ｃｙｃｌｅ’のうち少なくとも一つを含む。オン区間タイマ‘ｏｎＤｕｒａｔｉｏｎＴｉｍｅｒ’とＤＲＸ非活性タイマ‘ｄｒｘ-ＩｎａｃｔｉｖｉｔｙＴｉｍｅｒ’が動作する間に、ＵＥ２００は、ＰＤＣＣＨをモニタリングし、ＤＲＸ動作を使用するように設定する場合、ＵＥ２００は、各サブフレームで次のような動作のうち一つを遂行する。
【００２９】
-短ＤＲＸ周期‘ｓｈｏｒｔＤＲＸ-Ｃｙｃｌｅ’が使用され、[(ＳＦＮ＊１０)＋サブフレーム番号]を短ＤＲＸ周期‘ｓｈｏｒｔＤＲＸ-Ｃｙｃｌｅ’で割って獲得された余りが、ＤＲＸ開始オフセット‘ｄｒｘＳｔａｒｔＯｆｆｓｅｔ’を短ＤＲＸ周期‘ｓｈｏｒｔＤＲＸ-Ｃｙｃｌｅ’で割って獲得した余りと同一である場合、ＵＥ２００は、オン区間タイマ‘ｏｎＤｕｒａｔｉｏｎＴｉｍｅｒ’を開始する。
【００３０】
-長ＤＲＸ周期‘ｌｏｎｇＤＲＸ-Ｃｙｃｌｅ’が使用され、[(ＳＦＮ＊１０)＋サブフレーム番号]を長ＤＲＸ周期‘ｌｏｎｇＤＲＸ-Ｃｙｃｌｅ’で割って獲得した余りが、ＤＲＸ開始オフセット‘ｄｒｘＳｔａｒｔＯｆｆｓｅｔ’と同一である場合、ＵＥ２００は、オン区間タイマ‘ｏｎＤｕｒａｔｉｏｎＴｉｍｅｒ’を開始する。
【００３１】
-このサブフレームでＤＲＸ非活性タイマ‘ｄｒｘ-ＩｎａｃｔｉｖｉｔｙＴｉｍｅｒ’が満了し、あるいはＤＲＸ周期の変更を示すＤＲＸコマンドＭＡＣ制御要素がｅＮＢ３００から受信され、短ＤＲＸ周期‘ｓｈｏｒｔＤＲＸ-Ｃｙｃｌｅ’が設定される場合、ＵＥ２００は、短ＤＲＸ周期タイマ’ｄｒｘＳｈｏｒｔＣｙｃｌｅＴｉｍｅｒ’を開始して短ＤＲＸ周期‘ｓｈｏｒｔＤＲＸ-Ｃｙｃｌｅ’を設定及び使用する。
【００３２】
-このサブフレームでＤＲＸ非活性タイマ‘ｄｒｘ-ＩｎａｃｔｉｖｉｔｙＴｉｍｅｒ’が満了し、あるいはＤＲＸ周期の変更を示すＤＲＸコマンドＭＡＣ制御要素がｅＮＢ３００から受信され、短ＤＲＸ周期‘ｓｈｏｒｔＤＲＸ-Ｃｙｃｌｅ’が設定されない場合、ＵＥ２００は、長ＤＲＸ周期‘ｌｏｎｇＤＲＸ-Ｃｙｃｌｅ’を設定及び使用する。
【００３３】
-このサブフレームで短ＤＲＸ周期タイマ‘ｄｒｘＳｈｏｒｔＣｙｃｌｅＴｉｍｅｒ’が満了する場合、ＵＥ２００は、長ＤＲＸ周期‘ｌｏｎｇＤＲＸ-Ｃｙｃｌｅ’を設定及び使用する。
【００３４】
上記したＤＲＸ動作において、ＳＦＮは、システムフレーム番号を意味する。
【００３５】
上記したＤＲＸ動作制御方法によると、このサブフレームでＤＲＸ非活性タイマ‘ｄｒｘ-ＩｎａｃｔｉｖｉｔｙＴｉｍｅｒ’が満了し、あるいはＤＲＸコマンドＭＡＣ制御要素が受信され、もしくは短ＤＲＸ周期タイマ‘ｄｒｘＳｈｏｒｔＣｙｃｌｅＴｉｍｅｒ’が満了する場合、ＤＲＸ周期が変更される。
【００３６】
本発明の例示的実施形態では、ＤＲＸ周期が一回以上変更され、あるいは変更予定である場合に対する次のＤＲＸ動作方法を提案する。次の実施形態は、ＤＲＸ周期の変更が発生する少なくとも一つの条件をチェックした後、ＤＲＸ動作関連タイマを開始するか否かを判定したり、あるいはＤＲＸ動作関連タイマを開始するか否かを判定した後にＤＲＸ周期の変更が発生する少なくとも一つの条件をチェックする多様なタイプのＤＲＸ動作制御方法を提供する。
【００３７】
第１の実施形態では、該当サブフレームでＤＲＸ周期が変更される前にオン区間タイマ‘ｏｎＤｕｒａｔｉｏｎＴｉｍｅｒ’を開始するか否かが判定される。
【００３８】
第２の実施形態では、該当サブフレームでＤＲＸ周期がｎ回変更された後にオン区間タイマ‘ｏｎＤｕｒａｔｉｏｎＴｉｍｅｒ’を開始するか否かが判定される。
【００３９】
第３の実施形態では、該当サブフレームでＤＲＸ周期変更がすべて完了した後にオン区間タイマ‘ｏｎＤｕｒａｔｉｏｎＴｉｍｅｒ’を開始するか否かが判定される。
【００４０】
第４の実施形態では、該当サブフレームで特定条件のチェック前後にオン区間タイマを開始するか否かが判定される。
【００４１】
第５の実施形態では、該当サブフレームでＤＲＸ非活性タイマ‘ｄｒｘ-ＩｎａｃｔｉｖｉｔｙＴｉｍｅｒ’と短ＤＲＸタイマ‘ｄｒｘＳｈｏｒｔＣｙｃｌｅＴｉｍｅｒ’両方ともが満了する場合、ＤＲＸ非活性タイマ‘ｄｒｘ-ＩｎａｃｔｉｖｉｔｙＴｉｍｅｒ’が初めに満了すると考慮される。
【００４２】
第６の実施形態では、差し迫ったサブフレームで短期ＤＲＸタイマが満了した後に再開始される場合、現在ＤＲＸ周期は、短期間内にＤＲＸ周期の変更が発生することを防止するように維持される。
【００４３】
以下、図３乃至図８を参照して第１乃至第６の実施形態についてより具体的に説明する。
【００４４】
＜第１の実施形態>
図３は、本発明の例示的実施形態によるＤＲＸ動作制御方法を示す。
【００４５】
図３を参照すると、各サブフレームでＵＥは上記したＤＲＸ周期の変更が発生する条件をチェックする前にオン区間タイマ‘ｏｎＤｕｒａｔｉｏｎＴｉｍｅｒ’を開始するか否かを判定する。第１の実施形態では、ＤＲＸ周期の変更は、このサブフレームで、i）ＤＲＸ非活性タイマ‘ｄｒｘ-ＩｎａｃｔｉｖｉｔｙＴｉｍｅｒ’が満了する場合、ii）ｅＮＢからＤＲＸコマンドＭＡＣ制御要素が受信される場合、iii）短ＤＲＸ周期タイマ‘ｄｒｘＳｈｏｒｔＣｙｃｌｅＴｉｍｅｒ’が満了する場合に発生するので、ＵＥは、これら３つの条件をチェックする前にオン区間タイマ‘ｏｎＤｕｒａｔｉｏｎＴｉｍｅｒ’を開始するか否かを判定する(３０１)。図３は、短ＤＲＸ周期タイマ‘ｄｒｘＳｈｏｒｔＣｙｃｌｅＴｉｍｅｒ’が満了する場合(３０３）のＤＲＸ動作を示す。
【００４６】
＜第２の実施形態＞
図４は、本発明の例示的実施形態によるＤＲＸ動作制御方法を示す。
【００４７】
図４を参照すると、ＵＥは、サブフレームでＤＲＸ周期がｎ回変更された後にオン区間タイマ‘ｏｎＤｕｒａｔｉｏｎＴｉｍｅｒ’を開始するか否かを判定する。ＤＲＸ周期の変更は、このサブフレームで、i）ＤＲＸ非活性タイマ‘ｄｒｘ-ＩｎａｃｔｉｖｉｔｙＴｉｍｅｒ’が満了する場合、ii）ｅＮＢからＤＲＸコマンドＭＡＣ制御要素が受信される場合、iii）短ＤＲＸ周期タイマ‘ｄｒｘＳｈｏｒｔＣｙｃｌｅＴｉｍｅｒ’が満了する場合に発生するので、上記した条件のチェック途中又は以後にＤＲＸ周期がｎ回変更されると、オン区間タイマ‘ｏｎＤｕｒａｔｉｏｎＴｉｍｅｒ’を開始するか否かを判定する。図４は、短ＤＲＸ周期タイマ‘ｄｒｘＳｈｏｒｔＣｙｃｌｅＴｉｍｅｒ’が満了してＤＲＸ周期が１回変更された以後(４０１)、オン区間タイマ‘ｏｎＤｕｒａｔｉｏｎＴｉｍｅｒ’を開始するか否かを判断する一例を示す(４０３)。
【００４８】
＜第３の実施形態＞
図５は、本発明の例示的実施形態によるＤＲＸ動作制御方法を示す。
【００４９】
図５を参照すると、ＵＥは、サブフレームでＤＲＸ周期の変更がすべて完了した後にオン区間タイマ‘ｏｎＤｕｒａｔｉｏｎＴｉｍｅｒ’を開始するか否かを判定する。ＤＲＸ周期の変更は、このサブフレームで、i）ＤＲＸ非活性タイマ‘ｄｒｘ-ＩｎａｃｔｉｖｉｔｙＴｉｍｅｒ’が満了する場合、ii）ｅＮＢからＤＲＸコマンドＭＡＣ制御要素が受信される場合、iii）短ＤＲＸ周期タイマ‘ｄｒｘＳｈｏｒｔＣｙｃｌｅＴｉｍｅｒ’が満了する場合に発生するので、上記した条件がすべてチェックされた後、オン区間タイマ‘ｏｎＤｕｒａｔｉｏｎＴｉｍｅｒ’を開始するか否かを判定する。図５の実施形態は、上記した２つの条件ともをチェックした後(５０１，５０３)、ＵＥがオン区間タイマ‘ｏｎＤｕｒａｔｉｏｎＴｉｍｅｒ’を開始するか否かを判定する一例を示す(５０５)。
【００５０】
図６は、本発明の例示的実施形態によるＤＲＸ動作制御方法を示す。
【００５１】
図６を参照すると、ＵＥは、ステップ６０５で、ＤＲＸ構成パラメータを認識する。パラメータの認識に対して、ｅＮＢは、呼設定プロセスで、ＵＥにＤＲＸ構成パラメータを通知することができる。ＤＲＸ構成パラメータは、例えばオン区間タイマ‘ｏｎＤｕｒａｔｉｏｎＴｉｍｅｒ’とＤＲＸ非活性タイマ‘ｄｒｘ-ＩｎａｃｔｉｖｉｔｙＴｉｍｅｒ’の満了時間、長ＤＲＸ周期‘ｌｏｎｇＤＲＸ-Ｃｙｃｌｅ’、ＤＲＸ開始オフセット‘ｄｒｘＳｔａｒｔＯｆｆｓｅｔ’、短ＤＲＸ周期タイマ‘ｄｒｘＳｈｏｒｔＣｙｃｌｅＴｉｍｅｒ’の満了時間、及び短ＤＲＸ周期‘ｓｈｏｒｔＤＲＸ-Ｃｙｃｌｅ’を含むことができる。
【００５２】
ＵＥは、ＤＲＸ構成パラメータを認識する時点からＤＲＸ動作を遂行する。ＤＲＸ動作の遂行は、各サブフレームで、ＴＳ３６．３２１のセクション５．７に具体的に開示されている特定タイマを開始するか否かを判定し、そのタイマの開始に従って特定の動作、例えばＰＤＣＣＨモニタリングを遂行することを意味する。
【００５３】
ＵＥは、ＤＲＸ動作を遂行しつつ、ステップ６１０で、各サブフレームでＤＲＸ周期を変更するか否かを判定する。ＤＲＸ周期の変更可否が判定される特定のサブフレームが開始する直前に、ＵＥは、該当サブフレームで、短ＤＲＸ周期タイマ‘ｄｒｘＳｈｏｒｔＣｙｃｌｅＴｉｍｅｒ’又はＤＲＸ非活性タイマ‘ｄｒｘ-ＩｎａｃｔｉｖｉｔｙＴｉｍｅｒ’が満了する予定であるか否かを判定する。ＵＥは、短ＤＲＸ周期タイマ‘ｄｒｘＳｈｏｒｔＣｙｃｌｅＴｉｍｅｒ’が満了する予定である場合、該当サブフレームで、ＤＲＸ周期が短ＤＲＸ周期‘ｓｈｏｒｔＤＲＸ-Ｃｙｃｌｅ’から長ＤＲＸ周期‘ｌｏｎｇＤＲＸ-Ｃｙｃｌｅ’に変更されると判定する。該当サブフレームでＤＲＸ非活性タイマ‘ｄｒｘ-ＩｎａｃｔｉｖｉｔｙＴｉｍｅｒ’が満了する予定であり、あるいはＤＲＸコマンドＭＡＣ制御要素が受信され、この時点のＤＲＸ周期が長ＤＲＸ周期‘ｌｏｎｇＤＲＸ-Ｃｙｃｌｅ’である場合、ＵＥは、該当サブフレームで、ＤＲＸ周期が長ＤＲＸ周期‘ｌｏｎｇＤＲＸ-Ｃｙｃｌｅ’から短ＤＲＸ周期‘ｓｈｏｒｔＤＲＸ-Ｃｙｃｌｅ’に変更されると判定する。
【００５４】
ステップ６１０でＤＲＸ周期が変更されない場合、ＵＥは、ステップ６１５で、現在ＤＲＸ周期を用いるサブフレームでオン区間タイマ‘ｏｎＤｕｒａｔｉｏｎＴｉｍｅｒ’を開始するか否かを判定する。
【００５５】
ステップ６１０でＤＲＸ周期が変更される場合、ＵＥは、ステップ６２０に進行する。ＤＲＸコマンドＭＡＣ制御要素が受信される場合を除き、任意のサブフレームでＤＲＸ周期の変更は、該当サブフレームでＤＲＸ非活性タイマ‘ｄｒｘ-ＩｎａｃｔｉｖｉｔｙＴｉｍｅｒ’の満了、あるいは短ＤＲＸ周期タイマ‘ｄｒｘＳｈｏｒｔＣｙｃｌｅＴｉｍｅｒ’の満了、もしくは２個のタイマ両方ともの満了を意味する。２個のタイマのうち一つのみが満了する場合、ＤＲＸ周期が一回だけ変更されることを意味し、ＵＥは、ＤＲＸ周期が変更された後、変更されたＤＲＸ周期を用いて該当サブフレームでオン区間タイマ‘ｏｎＤｕｒａｔｉｏｎＴｉｍｅｒ’を開始するか否かを判定する。
【００５６】
ＵＥは、変更されたＤＲＸ周期が短ＤＲＸ周期‘ｓｈｏｒｔＤＲＸ-Ｃｙｃｌｅ’である場合、[(ＳＦＮ＊１０)＋サブフレーム番号]を短ＤＲＸ周期‘ｓｈｏｒｔＤＲＸ-Ｃｙｃｌｅ’で割って獲得した余りを、ＤＲＸ開始オフセット‘ｄｒｘＳｔａｒｔＯｆｆｓｅｔ’を短ＤＲＸ周期‘ｓｈｏｒｔＤＲＸ-Ｃｙｃｌｅ’で割って獲得した余りと比較する。ＵＥは、これら余りが相互に同一であるか否かによって、オン区間タイマ‘ｏｎＤｕｒａｔｉｏｎＴｉｍｅｒ’を開始するか否かを判定する。
【００５７】
変更されたＤＲＸ周期が長ＤＲＸ周期‘ｌｏｎｇＤＲＸ-Ｃｙｃｌｅ’である場合、ＵＥは、[(ＳＦＮ＊１０)＋サブフレーム番号]を長ＤＲＸ周期‘ｌｏｎｇＤＲＸ-Ｃｙｃｌｅ’で割って獲得した余りを、ＤＲＸ開始オフセット‘ｄｒｘＳｔａｒｔＯｆｆｓｅｔ’と比較する。ＵＥは、上記比較に基づいてオン区間タイマ‘ｏｎＤｕｒａｔｉｏｎＴｉｍｅｒ’を開始するか否かを判定する。
【００５８】
ＤＲＸ非活性タイマ‘ｄｒｘ-ＩｎａｃｔｉｖｉｔｙＴｉｍｅｒ’と短ＤＲＸ周期タイマ‘ｄｒｘＳｈｏｒｔＣｙｃｌｅＴｉｍｅｒ’が同一のサブフレームで満了する場合、ＤＲＸ周期は、該当サブフレームで２回変更される。この場合、ＵＥは、ＤＲＸ周期がすべて変更された後に最終ＤＲＸ周期を用いて該当サブフレームでオン区間タイマ‘ｏｎＤｕｒａｔｉｏｎＴｉｍｅｒ’を開始するか否かを判定する。ステップ６２０で、ＵＥは、任意のサブフレームでＤＲＸ周期がすべて変更された後にオン区間タイマ‘ｏｎＤｕｒａｔｉｏｎＴｉｍｅｒ’を開始するか否かを判定する。一方、任意のサブフレームでオン区間タイマ‘ｏｎＤｕｒａｔｉｏｎＴｉｍｅｒ’を開始するか否かの判定において、ＵＥは、サブフレームの最終ＤＲＸ周期を用いてオン区間タイマ‘ｏｎＤｕｒａｔｉｏｎＴｉｍｅｒ’を開始するか否かを判定する。
【００５９】
ＤＲＸ非活性タイマ‘ｄｒｘ-ＩｎａｃｔｉｖｉｔｙＴｉｍｅｒ’と短ＤＲＸ周期タイマ‘ｄｒｘＳｈｏｒｔＣｙｃｌｅＴｉｍｅｒ’ともが同一のサブフレームで満了する場合、ＤＲＸ周期は、初めに満了するタイマに従って該当サブフレームでＤＲＸ周期が変更されるか、変更されないことがある。例えば、ＤＲＸ非活性化タイマ‘ｄｒｘ-ＩｎａｃｔｉｖｉｔｙＴｉｍｅｒ’前に短ＤＲＸ周期タイマ‘ｄｒｘＳｈｏｒｔＣｙｃｌｅＴｉｍｅｒ’が初めに満了する場合、ＤＲＸ周期は、短ＤＲＸ周期‘ｓｈｏｒｔＤＲＸ-Ｃｙｃｌｅ’から長ＤＲＸ周期‘ｌｏｎｇＤＲＸ-Ｃｙｃｌｅ’に変更された後、短ＤＲＸ周期‘ｓｈｏｒｔＤＲＸ-Ｃｙｃｌｅ’に再び変更される。
【００６０】
一方、ＤＲＸ非活性タイマ‘ｄｒｘ-ＩｎａｃｔｉｖｉｔｙＴｉｍｅｒ’が初めに満了する場合、ＤＲＸ非活性タイマ‘ｄｒｘ-ＩｎａｃｔｉｖｉｔｙＴｉｍｅｒ’の満了が短ＤＲＸ周期タイマ‘ｄｒｘＳｈｏｒｔＣｙｃｌｅＴｉｍｅｒ’の再開始をトリガするため、ＤＲＸ周期は、変更なしに短ＤＲＸ周期‘ｓｈｏｒｔＤＲＸ-Ｃｙｃｌｅ’として維持される。
【００６１】
２つの場合ともに、最終ＤＲＸ周期は、短ＤＲＸ周期‘ｓｈｏｒｔＤＲＸ-Ｃｙｃｌｅ’と同一である。同一のサブフレームでＤＲＸ周期を数回変更するよりは、ＵＥの処理負荷を低減させるために、ＤＲＸ周期は変更されるべきではない。本発明の第５の実施形態において、ＵＥは、２個のタイマが任意のサブフレームで同時に満了する予定である場合、ＤＲＸ非活性タイマ‘ｄｒｘ-ＩｎａｃｔｉｖｉｔｙＴｉｍｅｒ’が初めに満了すると見なすように設定され、それによって不必要なＤＲＸ周期変更を防止する。
【００６２】
＜第４の実施形態＞
第４の実施形態において、ＵＥは、サブフレームごとに特定の周期変更条件をチェックする前後にオン区間タイマ‘ｏｎＤｕｒａｔｉｏｎＴｉｍｅｒ’を開始するか否かを判定する。ＤＲＸ周期変更は、このサブフレームで、i）ＤＲＸ非活性タイマ‘ｄｒｘ-ＩｎａｃｔｉｖｉｔｙＴｉｍｅｒ’が満了する場合、ii）ｅＮＢからＤＲＸコマンドＭＡＣ制御要素が受信される場合、iii）短ＤＲＸ周期タイマ‘ｄｒｘＳｈｏｒｔＣｙｃｌｅＴｉｍｅｒ’が満了する場合に発生するので、上記した条件がすべてチェックされた前後、オン区間タイマ‘ｏｎＤｕｒａｔｉｏｎＴｉｍｅｒ’を開始するか否かを判定する。
【００６３】
＜第５の実施形態＞
図７は、本発明の例示的実施形態によるＤＲＸ動作制御方法を示す。
【００６４】
図７を参照すると、ステップ７０５で、ＵＥは、ＤＲＸ構成パラメータを認識する。パラメータの認識に対して、ｅＮＢは、呼設定プロセスで、ＵＥにＤＲＸ構成パラメータを通知することができる。ＤＲＸ構成パラメータは、例えばオン区間タイマ‘ｏｎＤｕｒａｔｉｏｎＴｉｍｅｒ’とＤＲＸ非活性タイマ‘ｄｒｘ-ＩｎａｃｔｉｖｉｔｙＴｉｍｅｒ’の満了時間、長ＤＲＸ周期‘ｌｏｎｇＤＲＸ-Ｃｙｃｌｅ’、ＤＲＸ開始オフセット‘ｄｒｘＳｔａｒｔＯｆｆｓｅｔ’、短ＤＲＸ周期タイマ‘ｄｒｘＳｈｏｒｔＣｙｃｌｅＴｉｍｅｒ’の満了時間、及び短ＤＲＸ周期‘ｓｈｏｒｔＤＲＸ-Ｃｙｃｌｅ’を含むことができる。
【００６５】
ステップ７１０で、ＵＥは、差し迫ったサブフレームで、ＤＲＸ非活性タイマ‘ｄｒｘ-ＩｎａｃｔｉｖｉｔｙＴｉｍｅｒ’と短ＤＲＸ周期タイマ‘ｄｒｘＳｈｏｒｔＣｙｃｌｅＴｉｍｅｒ’両方ともが満了する予定であるか否かを判定する。差し迫ったサブフレームは、例えば次のサブフレームであり得る。
【００６６】
２個のタイマがともに満了するように予定されない場合、ＵＥは、ステップ７２０で従来技術により動作する。一方、２個のタイマが同一のサブフレームですべて満了するように予定される場合、ＵＥは、ステップ７１５で、差し迫ったサブフレームでＤＲＸ非活性タイマ‘ｄｒｘ-ＩｎａｃｔｉｖｉｔｙＴｉｍｅｒ’が初めに満了すると見なして関連動作を遂行する。ＵＥは、短ＤＲＸ周期タイマ‘ｄｒｘＳｈｏｒｔＣｙｃｌｅＴｉｍｅｒ’の満了による特定動作を遂行する前にＤＲＸ非活性タイマ‘ｄｒｘ-ＩｎａｃｔｉｖｉｔｙＴｉｍｅｒ’の満了による特定動作をまず遂行する。
【００６７】
短ＤＲＸ周期タイマ‘ｄｒｘＳｈｏｒｔＣｙｃｌｅＴｉｍｅｒ’の満了による特定動作は、例えば短ＤＲＸ周期から長ＤＲＸ周期へ変更することができる。ＤＲＸ非活性タイマ‘ｄｒｘ-ＩｎａｃｔｉｖｉｔｙＴｉｍｅｒ’の満了による特定動作は、短ＤＲＸ周期タイマ‘ｄｒｘＳｈｏｒｔＣｙｃｌｅＴｉｍｅｒ’を再開始できる。その結果、短ＤＲＸ周期タイマ‘ｄｒｘＳｈｏｒｔＣｙｃｌｅＴｉｍｅｒ’が再開始されるので、サブフレームで短ＤＲＸ周期タイマ‘ｄｒｘＳｈｏｒｔＣｙｃｌｅＴｉｍｅｒ’は満了されず、ＤＲＸ周期の不必要な変更を防止する。
【００６８】
第５の実施形態をより一般化して、任意のサブフレームでＤＲＸ非活性タイマ‘ｄｒｘ-ＩｎａｃｔｉｖｉｔｙＴｉｍｅｒ’を含む複数のタイマが満了する予定である場合、ＵＥは、ＤＲＸ非活性タイマ‘ｄｒｘ-ＩｎａｃｔｉｖｉｔｙＴｉｍｅｒ’が初めに満了すると見なし、ＤＲＸ非活性タイマ‘ｄｒｘ-ＩｎａｃｔｉｖｉｔｙＴｉｍｅｒ’の満了による特定の動作をまず遂行する。上記した例示的実施形態によるＤＲＸ動作制御方法を適用すると、ＤＲＸ周期の変化による活性時間(active  time）の不一致がＵＥとｅＮＢ両方に対して防止でき、ＵＥは、ＤＲＸ動作による消費電力減少効果を維持しつつ、ｅＮＢとの伝送不一致によるシステム性能の低下を防止することができる。
【００６９】
＜第６の実施形態＞
３ＧＰＰ規格でＴＳ３６．３２１のｖ９.2.０を参照すると、ＵＥは、短ＤＲＸ周期タイマ‘ｄｒｘＳｈｏｒｔＣｙｃｌｅＴｉｍｅｒ’が満了するサブフレームで長ＤＲＸ周期を適用し始める。しかしながら、短ＤＲＸ周期タイマ‘ｄｒｘＳｈｏｒｔＣｙｃｌｅＴｉｍｅｒ’が満了する同一のサブフレームでＤＲＸ非活性タイマ‘ｄｒｘ−ＩｎａｃｔｉｖｉｔｙＴｉｍｅｒ’が共に満了する場合に、ＵＥは、実現方法に基づき、以前サブフレームで短ＤＲＸ周期‘ｓｈｏｒｔＤＲＸ-Ｃｙｃｌｅ’を使用し、現在サブフレームで長ＤＲＸ周期‘ｌｏｎｇＤＲＸ-Ｃｙｃｌｅ’を適用し、次のサブフレームでは短ＤＲＸ周期‘ｓｈｏｒｔＤＲＸ-Ｃｙｃｌｅ’を適用するような方式で動作できる。例えば、ＵＥは、上記タイマの満了状況時に、順に、短ＤＲＸ周期タイマ‘ｄｒｘＳｈｏｒｔＣｙｃｌｅＴｉｍｅｒ’の満了をチェックし、オン区間タイマ‘ｏｎＤｕｒａｔｉｏｎＴｉｍｅｒ’を開始するか否かを判定し、ＤＲＸ非活性タイマ‘ｄｒｘ-ＩｎａｃｔｉｖｉｔｙＴｉｍｅｒ’の満了をチェックする。この場合、ＵＥは、以前サブフレームで短ＤＲＸ周期タイマ‘ｄｒｘＳｈｏｒｔＣｙｃｌｅＴｉｍｅｒ’の駆動による短ＤＲＸ周期‘ｓｈｏｒｔＤＲＸ-Ｃｙｃｌｅ’を使用し、現在サブフレームでは短ＤＲＸ周期タイマ‘ｄｒｘＳｈｏｒｔＣｙｃｌｅＴｉｍｅｒ’の満了による長ＤＲＸ周期を適用し、次のサブフレームではＤＲＸ非活性タイマ‘ｄｒｘ-ＩｎａｃｔｉｖｉｔｙＴｉｍｅｒ’の満了によって再び短ＤＲＸ周期‘ｓｈｏｒｔＤＲＸ-Ｃｙｃｌｅ’を適用できる。しなしながら、短期間内に短ＤＲＸ周期から長ＤＲＸ周期に遷移し、長ＤＲＸから短ＤＲＸに遷移することは、ＵＥの複雑度を増加させ、本当の利益はない。
【００７０】
本発明の第６の実施形態では、上記の状況でＵＥが長ＤＲＸ周期の変更を防止するための方法を提供する。
【００７１】
図８は、本発明の例示的実施形態によるＤＲＸ動作制御方法を示す。
【００７２】
図８を参照すると、ステップ８０５で、ＵＥはＤＲＸ構成パラメータを認識し、ｅＮＢは、呼設定などのプロセスでＵＥにＤＲＸ構成パラメータを通知できる。このＤＲＸ構成パラメータは、例えば、オン区間タイマ‘ｏｎＤｕｒａｔｉｏｎＴｉｍｅｒ’とＤＲＸ非活性タイマ‘ｄｒｘ-ＩｎａｃｔｉｖｉｔｙＴｉｍｅｒ’の満了時間、長ＤＲＸ周期‘ｌｏｎｇＤＲＸ-Ｃｙｃｌｅ’、ＤＲＸ開始オフセット‘ｄｒｘＳｔａｒｔＯｆｆｓｅｔ’、短ＤＲＸ周期タイマ‘ｄｒｘＳｈｏｒｔＣｙｃｌｅＴｉｍｅｒ’の満了時間、及び短ＤＲＸ周期‘ｓｈｏｒｔＤＲＸ-Ｃｙｃｌｅ’を含むことができる。
【００７３】
ステップ８１０で、ＵＥは、差し迫ったサブフレームで、短ＤＲＸ周期タイマ‘ｄｒｘＳｈｏｒｔＣｙｃｌｅＴｉｍｅｒ’が満了する予定であるか否かを判定する。差し迫ったサブフレームは、例えば次のサブフレームであり得る。
【００７４】
ステップ８１０で、短ＤＲＸ周期タイマ‘ｄｒｘＳｈｏｒｔＣｙｃｌｅＴｉｍｅｒ’が満了する予定でない場合、ＵＥは、ステップ８２０で、現在適用中であるＤＲＸ周期を維持する。短ＤＲＸ周期タイマ‘ｄｒｘＳｈｏｒｔＣｙｃｌｅＴｉｍｅｒ’が満了する予定である場合、ＵＥは、ステップ８１５で、差し迫ったサブフレームで短ＤＲＸ周期タイマ‘ｄｒｘＳｈｏｒｔＣｙｃｌｅＴｉｍｅｒ’が満了した後に再開始するか否かを判定する。差し迫ったサブフレームで短ＤＲＸ周期タイマが満了した後に再開始しないことは、差し迫った状態で短ＤＲＸ周期タイマ‘ｄｒｘＳｈｏｒｔＣｙｃｌｅＴｉｍｅｒ’が駆動状態でないことを意味するので、ステップ８１５は、ＵＥが差し迫ったサブフレームで短ＤＲＸ周期タイマ‘ｄｒｘＳｈｏｒｔＣｙｃｌｅＴｉｍｅｒ’が駆動中であるか否かを判定するように変更することができる。ステップ８１５で、差し迫ったサブフレームで、短ＤＲＸ周期タイマ‘ｄｒｘＳｈｏｒｔＣｙｃｌｅＴｉｍｅｒ’が満了した後に再開始される場合(又は短ＤＲＸ周期タイマ‘ｄｒｘＳｈｏｒｔＣｙｃｌｅＴｉｍｅｒ’が駆動状態である場合)、ＵＥは、ＤＲＸ周期が長ＤＲＸ周期‘ｌｏｎｇＤＲＸ-Ｃｙｃｌｅ’に遷移されないようにステップ８２０で現在使用している短ＤＲＸ周期‘ｓｈｏｒｔＤＲＸ-Ｃｙｃｌｅ’を維持する。ステップ８１５で差し迫ったサブフレームで短ＤＲＸタイマ‘ｄｒｘＳｈｏｒｔＣｙｃｌｅＴｉｍｅｒ’が満了した後に再開始しない場合(又は短ＤＲＸ周期タイマ‘ｄｒｘＳｈｏｒｔＣｙｃｌｅＴｉｍｅｒ’が駆動状態でない場合)、ＵＥは、ステップ８２５で長ＤＲＸ周期‘ｌｏｎｇＤＲＸ-Ｃｙｃｌｅ’を適用する。
【００７５】
したがって、上記した第６の実施形態の適用は、短期間内に不必要なＤＲＸ遷移の発生を防止できる。
【００７６】
図９は、本発明の例示的実施形態によるＤＲＸ動作を制御する装置の構成を概念的に示す。図９のＤＲＸ動作制御装置は、ｅＮＢと通信するＵＥに含まれる。
【００７７】
図９を参照すると、受信器９０３は、制御器９０５の制御下にｅＮＢ(図示せず)から伝送されるＤＲＸ構成パラメータを受信する。アンテナ９０１と受信器９０３を通じて受信したＤＲＸ構成パラメータは、制御器９０５に伝送される。制御器９０５は、ＤＲＸ周期の変更が発生する少なくとも一つの条件をチェックする前に各サブフレームでＤＲＸ構成パラメータを用いてＤＲＸ動作関連タイマを開始するか否かを判定する。制御器９０５は、上述した例示的実施形態のうちいずれか一つによって上記判定を遂行することができる。制御器９０５は、例えば、ＲＲＣ接続状態でＤＲＸ動作が設定される場合、その判定結果に従ってＤＲＸ動作を制御し、ｅＮＢから伝送される制御チャンネルなどを不連続的にモニタリングする。制御器９０５は、上記した第６の実施形態を使用する場合、差し迫ったサブフレームで短ＤＲＸ周期タイマが満了した後に、ＤＲＸ構成パラメータを用いて差し迫ったサブフレームで短ＤＲＸ周期タイマが再開始するか否かを判断し、短ＤＲＸタイマが再開始される場合、現在ＤＲＸ周期を維持することによって、短期間内に不必要なＤＲＸ遷移が発生することを防止することができる。制御器９０５は、ＲＲＣ階層で本発明の例示的実施形態によるＤＲＸ動作を制御する。
【００７８】
以上、本発明の詳細な説明においては具体的な実施形態に関して説明したが、特許請求の範囲の記載及びこれと均等なものに基づいて定められる本発明の範囲及び趣旨を逸脱することなく、形式や細部の様々な変更が可能であることは、当該技術分野における通常の知識を持つ者には明らかである。
【符号の説明】
【００７９】
２００      ＵＥ
３００      ｅＮＢ
２１０，３１０      ＲＲＣ階層
２３０，３３０      ＭＡＣ階層
２５０，３５０      物理(ＰＨＹ)階層
９０１      アンテナ
９０３      受信器
９０５      制御器
【図１】
2015111958.tif 000003
【図２】
2015111958.tif 000004
【図３】
2015111958.tif 000005
【図４】
2015111958.tif 000006
【図５】
2015111958.tif 000007
【図６】
2015111958.tif 000008
【図７】
2015111958.tif 000009
【図８】
2015111958.tif 000010
【図９】
2015111958.tif 000011